(57)【要約】【課題】アクティブ方式の３Ｄ眼鏡レンズの内面に、着用者の視力に合うガスケットを結合した度付きレンズを一体に粘着又は接着し、着用感に優れており、鮮明な立体画像を見ることができる立体（３Ｄ）画像視聴用レンズ組立体を提供する。【解決手段】ＬＣＤパネルレンズ部を通して立体画像を視聴できるように構成した立体（３Ｄ）画像視聴用レンズ組立体において、立体画像を提供するＬＣＤパネルレンズ部の内側（着用者の目側）に、ガスケットが装着された視力矯正用度付きレンズを結合したことを特徴とする度付きレンズが結合された立体（３Ｄ）画像視聴用レンズ組立体を構成する。【選択図】図１
2011232723.tif 000002
【特許請求の範囲】
【請求項１】
ＬＣＤパネルレンズ部を通して立体画像を視聴できるように構成した立体（３Ｄ）画像視聴用レンズ組立体において、
立体画像を提供するＬＣＤパネルレンズ部の内側（着用者の目側）に、ガスケットが装着された視力矯正用度付きレンズを結合したことを特徴とする度付きレンズが結合された立体（３Ｄ）画像視聴用レンズ組立体。
【請求項２】
前記ＬＣＤパネルレンズ部は、
中央に内蔵される液晶パネル（２１）と、前記液晶パネル（２１）の両側面に接合されるガラスパネル（２２、２２’）と、前記ガラスパネル（２２、２２’）の外面に接合されるＴＡＣパネル（２４、２４’）と、前記ＴＡＣパネル（２４、２４’）の外面に接合されるＰＶＡパネル（２６、２６’）と、前記ＰＶＡパネル（２６、２６’）の外面に接合されるＴＡＣパネル（２８、２８’）と、前記内側のＴＡＣパネル（２８’）の内面に結合されるガスケット（４０）と、前記ガスケット（４０）に装着されている度付きレンズ（５０、５０−１）と、を含んで構成されたことを特徴とする、請求項１に記載の度付きレンズが結合された立体（３Ｄ）画像視聴用レンズ組立体。
【請求項３】
前記度付きレンズは、外面が凸面で、内面が凹面又は凸面であることを特徴とする、請求項１に記載の度付きレンズが結合された立体（３Ｄ）画像視聴用レンズ組合体。
【請求項４】
前記度付きレンズは、外面が平面で、内面が凹面又は凸面であることを特徴とする、請求項１に記載の度付きレンズが結合された立体（３Ｄ）画像視聴用レンズ組合体。
【請求項５】
前記度付きレンズは、ＣＲ、ＰＣ、ガラス及びアクリルから選択されたいずれか一つを用いて製造したことを特徴とする、請求項１に記載の度付きレンズが結合された立体（３Ｄ）画像視聴用レンズ組合体。
【請求項６】
前記ガスケットには、眼鏡フレ−ムに形成された結合溝に装着されるように結合突起（４２）が形成されたことを特徴とする、請求項１に記載の度付きレンズが結合された立体（３Ｄ）画像視聴用レンズ組合体。
【請求項７】
前記ＬＣＤパネルレンズ部は、
中央に内蔵される液晶パネル（２１）と、前記液晶パネル（２１）の両側面に接合されるガラスパネル（２２、２２’）と、前記ガラスパネル（２２、２２’）の外面に接合されるＰＣパネル（２３、２３’）と、前記ＰＣパネル（２３、２３’）の外面に接合されるＰＶＡパネル（２６、２６’）と、前記ＰＶＡパネル（２６、２６’）の外面に接合されるＰＣパネル（２９、２９’）と、前記内側のＰＣパネル（２９’）の内面に結合されるガスケット（４０）と、前記ガスケット（４０）に装着されている度付きレンズ（５０、５０−１）と、を含んで構成されたことを特徴とする、請求項１に記載の度付きレンズが結合された立体（３Ｄ）画像視聴用レンズ組合体。
【請求項８】
前記度付きレンズは、外面が凸面で、内面が凹面又は凸面であることを特徴とする、請求項７に記載の度付きレンズが結合された立体（３Ｄ）画像視聴用レンズ組合体。
【請求項９】
前記度付きレンズは、外面が平面で、内面が凹面又は凸面であることを特徴とする、請求項７に記載の度付きレンズが結合された立体（３Ｄ）画像視聴用レンズ組合体。
【請求項１０】
前記度付きレンズは、ＣＲ、ＰＣ、ガラス、有機化合物及びアクリルから選択されたいずれか一つを用いて製造したことを特徴とする、請求項７に記載の度付きレンズが結合された立体（３Ｄ）画像視聴用レンズ組立体。
【請求項１１】
前記ガスケットには、眼鏡フレ−ムに形成された結合溝（４２−１）に装着されるように結合突起（４２）が形成されたことを特徴とする、請求項７に記載の度付きレンズが結合された立体（３Ｄ）画像視聴用レンズ組合体。
【請求項１２】
前記度付きレンズにガスケットを結合し、立体（３Ｄ）眼鏡レンズの内面に前記度付きレンズを結合する方法としては、粘着、接着及び係合のうちいずれか一つを選択して用いたことを特徴とする、請求項１から１０のうちいずれか１項に記載の度付きレンズが結合された立体（３Ｄ）画像視聴用レンズ組合体。
【請求項１３】
ＬＣＤパネルレンズ部の前方面に位相差フィルムをさらに構成したことを特徴とする、請求項１、２及び７のうちいずれか１項に記載の度付きレンズが結合された立体（３Ｄ）画像視聴用レンズ組合体。
【請求項１４】
前記ＬＣＤパネルレンズ部と前記度付きレンズとの間に透明シリコン材を挿入し、衝撃防止及び異物質の浸透を防止するように構成したことを特徴とする、請求項１に記載の度付きレンズが結合された立体（３Ｄ）画像視聴用レンズ組合体。
【発明の詳細な説明】
【技術分野】
【０００１】
本発明は、度付きレンズが一体型で結合された立体（３Ｄ）画像視聴用レンズ組立体に関するもので、より具体的には、度付き眼鏡を着用せずに、立体画像視聴用レンズを一つのみ着用した状態で立体画像を視聴することができ、特に、度付きレンズの構造に合うガスケットを結合した一体型立体（３Ｄ）画像視聴用レンズ組立体に関するものである。
【背景技術】
【０００２】
立体画像を具現する画像技術は、アクティブ方式（ＬＣＤを用いる方式）とパッシブ方式（偏光フィルムを用いる方式）に分けられる。このうち、アクティブ方式は、偏光層／ガラス液晶／偏光層の構造となっており、偏光層は、ＴＡＣ／ＰＶＡ／ＴＡＣの構造又はＰＣ／ＰＶＡ／ＰＣの構造となっている。
このようなレンズで構成された３Ｄアクティブ眼鏡を度付き眼鏡の上に重ねてかける構造は、眼鏡の上に眼鏡をかける形式であるので、ユ−ザに不便さを与えるおそれがある。また、度付きレンズと液晶レンズとの間の空間で光が屈折したり、光の透過率が低下するという問題があった。
したがって、本発明は、視力が異なる各ユ−ザに与える不便さを解消し、鮮明な立体画像を視聴できる立体（３Ｄ）画像視聴用レンズ組立体の問題を解決する。
【発明の概要】
【発明が解決しようとする課題】
【０００３】
本発明は、前記のような問題を解消するために提案されたもので、その目的は、アクティブ方式の３Ｄ眼鏡レンズの内面に、着用者の視力に合うガスケットを結合した度付きレンズを一体に粘着又は接着し、着用感に優れており、鮮明な立体画像を見ることができる立体（３Ｄ）画像視聴用レンズ組立体を提供することにある。
また、本発明の目的は、凸レンズの装着時に結合が難しいという問題を解決し、着脱が便利な立体（３Ｄ）画像視聴用レンズ組立体を提供することにある。
また、本発明の目的は、ＬＣＤパネルレンズと度付きレンズとの間に透明シリコンを挿入することによって、これらの間の衝撃を防止するとともに、これらの間への異物質の浸透を防止するための立体（３Ｄ）画像視聴用レンズ組立体を提供することにある。
【課題を解決するための手段】
【０００４】
前記目的を達成するための本発明は、ＬＣＤパネルレンズ部を通して立体画像を視聴できるように構成した立体（３Ｄ）画像視聴用レンズ組立体において、立体画像を提供するＬＣＤパネルレンズ部の内側（着用者の目側）に、ガスケットが装着された視力矯正用度付きレンズを結合したことを特徴とする。
本発明の目的を達成するために、本発明は、中央に内蔵される液晶パネルと、前記液晶パネルの両側面に接合されるガラスパネルと、前記ガラスパネルの外面に接合されるＴＡＣパネルと、前記ＴＡＣパネルの外面に接合されるＰＶＡパネルと、前記ＰＶＡパネルの外面に接合されるＴＡＣパネルと、前記内側のＴＡＣパネルの内面に結合されるガスケットと、前記ガスケットに結合されている度付きレンズとを含んで構成されたことを特徴とする立体（３Ｄ）画像視聴用レンズ組立体に関するものである。
また、本発明は、中央に内蔵される液晶パネルと、前記液晶パネルの両側面に接合されるガラスパネルと、前記ガラスパネルの外面に接合されるＰＣパネルと、前記ＰＣパネルの外面に接合されるＰＶＡパネルと、前記ＰＶＡパネルの外面に接合されるＰＣパネルと、前記内側のＰＣパネルの内面に結合されるガスケットと、前記ガスケットに結合されている度付きレンズとを含んで構成されたことを特徴とする立体（３Ｄ）画像視聴用レンズ組立体に関するものである。
【発明の効果】
【０００５】
本発明においては、立体画像視聴用レンズにガスケットが結合され、ガスケットに度付きレンズが一体型で結合されているので、別途の度付き眼鏡を着用せずに立体画像を視聴できるという非常に有用な効果がある。
また、立体画像視聴用レンズに、視力が悪い視聴者の視力に合わせて加工したガスケットが装着された度付きレンズを一体に結合し、着用感が便利なだけでなく、鮮明な立体画像を視聴できる立体（３Ｄ）画像視聴用レンズ組立体を製造できるという効果がある。また立体レンズと度付きレンズとの間に発生する衝撃を防止し、二つのレンズの間に異物質が挿入されないという効果がある。
また、立体画像を視聴するためにレンズの上に度付き眼鏡を着用する場合のように二つの眼鏡を使用することがないので、優れた立体画質を便利に鑑賞することができ、より興味深く立体画像を鑑賞することができる。
【図面の簡単な説明】
【０００６】
【図１】本発明の立体（３Ｄ）画像視聴用眼鏡を示した斜視図である。
【図２】本発明の立体（３Ｄ）画像視聴用眼鏡を示した斜視図である。
【図３】本発明の立体（３Ｄ）画像視聴用レンズ組立体を示した分解断面図である。
【図４】本発明の立体（３Ｄ）画像視聴用レンズ組立体を示した分解断面図である。
【図５】本発明の立体（３Ｄ）画像視聴用レンズ組立体を示した分解断面図である。
【図６】本発明の立体（３Ｄ）画像視聴用レンズ組立体を示した分解断面図である。
【図７】本発明の立体（３Ｄ）画像視聴用レンズ組立体を示した分解断面図である。
【図８】本発明の立体（３Ｄ）画像視聴用レンズ組立体を示した分解断面図である。
【図９】本発明の立体（３Ｄ）画像視聴用レンズ組立体を示した分解断面図である。
【図１０】本発明の立体（３Ｄ）画像視聴用レンズ組立体を示した分解断面図である。
【発明を実施するための形態】
【０００７】
以下、本発明の好適な実施例の度付きレンズが結合された立体（３Ｄ）画像視聴用レンズ組立体を添付の図面を参照して詳細に説明する。
図１は、本発明の立体（３Ｄ）画像視聴用眼鏡に、ガスケットが装着された度付きレンズが結合される状態を示した斜視図で、図２は、本発明の立体（３Ｄ）画像視聴用眼鏡に、結合突起が形成されたガスケットが結合される状態を示した斜視図である。
本発明は、ＬＣＤパネルレンズ部６０を通して立体画像を視聴できるように構成した立体（３Ｄ）画像視聴用レンズ組立体において、立体画像を提供するＬＣＤパネルレンズ部６０の内側（着用者の目側）に、ガスケット４０が装着された視力矯正用度付きレンズを結合したことを特徴とする。
本発明は、アクティブ方式（ＬＣＤを用いる方式）を用いたもので、本発明のレンズ組立体をＬＣＤパネルレンズ部６０と称する。
前記目的を達成するための本発明のＬＣＤパネルレンズ部６０は、中央に内蔵される液晶パネル２１と、前記液晶パネル２１の両側面に接合されるガラスパネル２２、２２’と、前記ガラスパネル２２、２２’の外面に接合されるＴＡＣパネル２４、２４’と、前記ＴＡＣパネル２４、２４’の外面に接合されるＰＶＡパネル２６、２６’と、前記ＰＶＡパネル２６、２６’の外面に接合されるＴＡＣパネル２８、２８’と、前記内側のＴＡＣパネル２８’とを含んで構成される。さらに、ＬＣＤパネルレンズ部６０は、前記内側のＴＡＣパネル２８’面に結合されるガスケット４０と、前記ガスケット４０に装着されている度付きレンズ５０、５０−１とを含んで構成される。
図３に示すように、前記構造からなる本発明の立体（３Ｄ）画像視聴用レンズ組立体において、度付きレンズ５０は、外面が平面で、内面が凹面であることを特徴とする。また、図４に示すように、前記構造からなる本発明の立体（３Ｄ）画像視聴用レンズ組立体において、度付きレンズ５０−１は、外面が凸面で、内面が凹面であることを特徴とする。本発明の立体（３Ｄ）画像視聴用レンズ組立体において、度付きレンズは、ＣＲ、ＰＣ、ガラス、有機化合物及びアクリルから選択されたいずれか一つを用いて製造したことを特徴とする。本発明の立体（３Ｄ）画像視聴用レンズ組立体において、ガスケット４０には、眼鏡フレ−ムに形成された結合溝４２−１に装着されるように結合突起４２が形成されたことを特徴とする。
また、本発明のＬＣＤパネルレンズ部６０は、中央に内蔵される液晶パネル２１と、前記液晶パネル２１の両側面に接合されるガラスパネル２２、２２’と、前記ガラスパネル２２、２２’の外面に接合されるＰＣパネル２３、２３’と、前記ＰＣパネル２３、２３’の外面に接合されるＰＶＡパネル２６、２６’と、前記ＰＶＡパネル２６、２６’の外面に接合されるＰＣパネル２９、２９’と、前記内側のＰＣパネル２９’の内面に結合されるガスケット４０と、前記ガスケット４０に一体型で結合されている度付きレンズ５０、５０−１とを含んで構成されたことを特徴とする立体（３Ｄ）画像視聴用レンズ組立体に関するものである。
図５に示すように、前記構造からなる本発明の立体（３Ｄ）画像視聴用レンズ組立体において、度付きレンズ５０は、外面が平面で、内面が凹面であることを特徴とする。また、図６に示すように、前記構造からなる本発明の立体（３Ｄ）画像視聴用レンズ組立体において、度付きレンズ５０−１は、外面が凸面で、内面が凹面であることを特徴とする。本発明の立体（３Ｄ）画像視聴用レンズ組立体において、度付きレンズは、ＣＲ、ＰＣ、ガラス、有機化合物及びアクリルから選択されたいずれか一つを用いて製造したことを特徴とする。本発明の立体（３Ｄ）画像視聴用レンズ組立体において、ガスケット４０には、眼鏡フレ−ムに形成された結合溝４２−１に装着されるように結合突起４２が形成されたことを特徴とする。
本発明の立体（３Ｄ）画像視聴用レンズ組立体によれば、別途の度付き眼鏡を着用せずに立体画像を視聴できる単一体の立体（３Ｄ）画像視聴用レンズに、ユ−ザの視力に合わせて加工した度付きレンズ５０、５０−１を一体に装着することによって、別途の度付き眼鏡を着用せずに、ユ−ザの視力に合わせて便利に着用しながら良質の画像を視聴することができる。以下、本発明の具体的な構成について添付の図面を用いて詳細に説明する。
図３及び図４に示すように、本発明の立体（３Ｄ）画像視聴用レンズ組立体は、中央に液晶パネル２１が装着されており、前記液晶パネル２１を保護するために液晶パネル２１の両面にガラスパネル２２、２２’が装着されており、前記ガラスパネル２２、２２’の外側にＴＡＣフィルム２４、２４’、ＰＶＡフィルム２６、２６’及びＴＡＣフィルム２８、２８’が順次積層された状態で粘着又は接着によって結合されており、前記内側のＴＡＣパネル２８’の内面にガスケット４０が結合されており、前記ガスケット４０に度付きレンズ５０、５０−１が結合されている。
本発明の立体（３Ｄ）画像視聴用レンズ組立体において、液晶パネルは軟質であるので、これを安全に保護するために液晶パネル２１の両面にガラスパネル２２、２２’が装着されており、ガラスパネル２２、２２’の外面にＴＡＣフィルム２８、２８’が接合されている。本発明において、一体に接合されるＴＡＣフィルム２８、２８’は、光学的に同一の方向に配向され、透明性及び強度に優れており、温度と湿度の変化時にも寸法の安定性に優れている特性を有するものである。また、ＴＡＣフィルム２４、２４’の外面に接合されるＰＶＡフィルム２６、２６’は、フィルムを一側に延伸した後、ヨ−ド分子及び二色性染料をＰＶＡ間に一方向に配向し、一方向の光のみを通過させ、他の方向の光は吸収することによって、偏光子の機能を行えるように染色と延伸の技術によって製造されるものである。
また、本発明の立体（３Ｄ）画像視聴用レンズ組立体は、内面に位置するＴＡＣフィルム２８の内側にガスケット４０が装着されており、ガスケット４０に度付きレンズ５０、５０−１が結合されている。本発明において、度付きレンズ５０、５０−１は、ユ−ザの視力を予め測定して加工したものであって、これは、ＣＲ及びＰＣから選択されるいずれか一つを使用して製造され、いずれのものを適用しても効果は同一である。図３〜図６に示すように、本発明の立体（３Ｄ）画像視聴用レンズ組立体は、ガスケット４０に度付きレンズ５０、５０−１が結合されており、ガスケット４０に結合できる度付きレンズ５０、５０−１は、外面が平面で、内面が凹面であるもの、及び、外面が凸面で、内面が凹面であるものから選択されたいずれか一つを結合して使用することができる。図３〜図６に示すように、本発明の立体（３Ｄ）画像視聴用レンズ組立体において、度付きレンズは、ＣＲ、ＰＣ、ガラス及びアクリルから選択されたいずれか一つを用いて製造することが望ましい。図７〜図１０に示すように、本発明の立体（３Ｄ）画像視聴用レンズ組立体は、ガスケット４０に結合突起４２が形成されており、眼鏡フレ−ムに形成された結合溝４２−１に結合突起４２が装着された状態で使用することが望ましい。
本発明の他の実施例として、図５及び図６に示すように、本発明の立体（３Ｄ）画像視聴用レンズ組立体は、中央に液晶パネル２１が装着されており、前記液晶パネル２１を保護するために両面にガラスパネル２２、２２’が接合されており、ガラスパネル２２、２２’の外側にＰＣパネル２３、２３’、ＰＶＡフィルム２６、２６’及びＰＣパネル２９、２９’が順次積層された状態で粘着又は接着されたものである。図５及び図６に示すように、本発明の立体（３Ｄ）画像視聴用レンズ組立体は、外面に位置するＰＣパネル２９の外面に位相差フィルム３０が接着されており、内面に接着されたＰＣパネル２９’の内側にガスケット４０が装着されており、ガスケット４０に度付きレンズ５０、５０−１が結合されている。図３〜図６に示すように、本発明の立体（３Ｄ）画像視聴用レンズ組立体において、度付きレンズ５０、５０−１は、ＣＲ、ＰＣ、ガラス及びアクリルから選択されたいずれか一つを用いて製造されたもので、これは、ユ−ザの視力に合わせて加工したものである。
また、前記ＬＣＤパネルレンズ部６０の前方面（光が最初に入射される面）に位相差フィルムをさらに構成し、ユ−ザの視聴角度に応じて鮮明な立体画像を提供できるように構成したことを特徴とする。
以上、本発明の実施例について詳細に説明したが、本発明の権利範囲がこれに限定されるわけではなく、下記の特許請求の範囲で定義している本発明の基本概念を用いた当業者の種々の変形及び改良形態も本発明の権利範囲に属するものである。
【符号の説明】
【０００８】
２１    液晶パネル
２２、２２’    ガラスパネル
２３、２３’    ＰＣパネル
２４、２４’    ＴＡＣフィルム
２６、２６’    ＰＶＡフィルム
４０    ガスケット
４２    結合突起
４２−１    結合溝
５０、５０−１    度付きレンズ
６０    ＬＣＤパネルレンズ部
【図１】
2011232723.tif 000003
【図２】
2011232723.tif 000004
【図３】
2011232723.tif 000005
【図４】
2011232723.tif 000006
【図５】
2011232723.tif 000007
【図６】
2011232723.tif 000008
【図７】
2011232723.tif 000009
【図８】
2011232723.tif 000010
【図９】
2011232723.tif 000011
【図１０】
2011232723.tif 000012